(57)【要約】【課題】 ダイヤフラム弁を小型化するに際し、耐久性を向上することができるダイヤフラム弁を提供する。【解決手段】  押さえアダプタ8は、その下面8a全体が所定の傾斜角度とされたテーパ状とされている。ボディ2の凹所2c底面14は、円形の平坦部14aと、平坦部14aの外周に連なり平坦部14aに対して凹まされている凹部14bとを有している。ダイヤフラム5は、流体流入通路2aが開となっている状態において、外周縁部の上面が押さえアダプタ8のテーパ状下面8aと面接触し、外周縁部の下面がボディ2の凹所2c底面14の平坦部14aの外周と線接触するようになされている。【選択図】    図２
2014009765.tif 000002
【特許請求の範囲】
【請求項１】
流体通路および上向きに開口した凹所が設けられたボディと、ボディに形成された流体通路の周縁に配置されたシートと、シートに押圧・離間されることで流体通路の開閉を行う弾性変形可能な球殻状ダイヤフラムと、ダイヤフラムの外周縁部をボディの凹所底面との間で保持する押さえアダプタと、ダイヤフラムの中央部を押圧するダイヤフラム押さえと、ダイヤフラム押さえを上下移動させる上下移動手段とを備えているダイヤフラム弁において、
押さえアダプタは、その下面全体が所定の傾斜角度とされたテーパ状とされており、ボディの凹所底面は、円形の平坦部と、平坦部の外周に連なり平坦部に対して凹まされている凹部とを有しており、ダイヤフラムは、流体通路が開となっている状態において、外周縁部の上面が押さえアダプタのテーパ状下面と面接触し、外周縁部の下面がボディの凹所底面の平坦部の外周と線接触するようになされていることを特徴とするダイヤフラム弁。
【請求項２】
押さえアダプタの下面のテーパ角度は、ボディの凹所底面の平坦部に対して１５．５〜１６．５°とされていることを特徴とする請求項１のダイヤフラム弁。
【請求項３】
ダイヤフラム押さえのダイヤフラムに当接している面の曲率半径は、１０．５〜１２．５ｍｍとされていることを特徴とする請求項１または２のダイヤフラム弁。
【発明の詳細な説明】
【技術分野】
【０００１】
この発明は、ダイヤフラム弁に関し、特に、小型化が可能なダイヤフラム弁に関する。
【背景技術】
【０００２】
ダイヤフラム弁として、流体通路および上向きに開口した凹所が設けられたボディと、ボディに形成された流体通路の周縁に配置されたシートと、シートに押圧・離間されることで流体通路の開閉を行う球殻状ダイヤフラムと、ダイヤフラムの外周縁部をボディの凹所底面との間で保持する押さえアダプタと、ダイヤフラムの中央部を押圧するダイヤフラム押さえと、ダイヤフラム押さえを上下移動させる上下移動手段とを備えているものが知られている（特許文献１など）。
【０００３】
このようなダイヤフラムは、その外周縁部がボディに固定されることで、ボディに設けられた上向き凹所の開口をシールするとともに、その中央部分が外周縁部に対して弾性変形可能（上下移動可能）とされ、ダイヤフラム押さえの上下移動に伴って弾性変形して流体通路開閉に寄与する。
【０００４】
従来、押さえアダプタの下面は、所定の傾斜角度とされたテーパ部と、テーパ面の外周に設けられた平坦部とからなり、ボディの凹所底面の外周縁部は、円形の平坦状とされており、ダイヤフラムの外周縁部は、押さえアダプタの平坦部とボディの外周縁部の平坦状底面との間で挟持されていた。
【先行技術文献】
【特許文献】
【０００５】
【特許文献１】特開平０５−８０８５８号公報
【発明の概要】
【発明が解決しようとする課題】
【０００６】
上記従来のダイヤフラム弁では、ダイヤフラムは、開閉操作が行われるごとに、大きく変形することから、その耐久性を向上することが重要なものとなっている。特に、ダイヤフラム弁を小型化する際には、ダイヤフラムも小型化されることで、耐久性確保の点で難しいという問題があった。従来のものでは、ダイヤフラムの外周縁部が押さえアダプタの平坦部とボディの外周縁部の平坦状底面との間で挟持されていることから、弾性変形する球殻状のダイヤフラムの外周縁部に変形不可能でかつ球殻状部分に対して屈曲する平坦状部分が存在しており、耐久性に不利であった。
【０００７】
この発明の目的は、ダイヤフラム弁を小型化するに際し、耐久性を向上することができるダイヤフラム弁を提供することにある。
【課題を解決するための手段】
【０００８】
この発明によるダイヤフラム弁は、流体通路および上向きに開口した凹所が設けられたボディと、ボディに形成された流体通路の周縁に配置されたシートと、シートに押圧・離間されることで流体通路の開閉を行う弾性変形可能な球殻状ダイヤフラムと、ダイヤフラムの外周縁部をボディの凹所底面との間で保持する押さえアダプタと、ダイヤフラムの中央部を押圧するダイヤフラム押さえと、ダイヤフラム押さえを上下移動させる上下移動手段とを備えているダイヤフラム弁において、押さえアダプタは、その下面全体が所定の傾斜角度とされたテーパ状とされており、ボディの凹所底面は、円形の平坦部と、平坦部の外周に連なり平坦部に対して凹まされている凹部とを有しており、ダイヤフラムは、流体通路が開となっている状態において、外周縁部の上面が押さえアダプタのテーパ状下面と面接触し、外周縁部の下面がボディの凹所底面の平坦部の外周と線接触するようになされていることを特徴とするものである。
【０００９】
ダイヤフラムは、流体通路が開となっている状態（通常、上に凸の球殻状の状態）において、ダイヤフラムの外周縁部の上面が押さえアダプタの下面と面接触していることで、自然状態である球殻状からの変形が小さく抑えられる。そして、ダイヤフラムの外周縁部の下面がボディの凹所底面の平坦部の外周と線接触するようになされていることで、ダイヤフラムは、押さえアダプタとボディとによって保持された状態においても、自然状態である球殻状からの変形が小さく抑えられた状態が維持される。すなわち、弾性変形する球殻状のダイヤフラムの外周縁部に変形不可能でかつ球殻状部分に対して屈曲する平坦状部分が存在しないことから、部分的に応力が集中することが回避されて、ダイヤフラムの変形が最適化され、ダイヤフラムの耐久性が向上する。
【００１０】
押さえアダプタの下面のテーパ角度は、ボディの平坦面に対して１５．５〜１６．５°とされていることが好ましい。
【００１１】
押さえアダプタの下面のテーパ角度がボディの平坦面に対して１５．５〜１６．５°（１５．５°以上でかつ１６．５°以下）とされることで、押さえアダプタの下面のテーパ角度がボディの平坦面に対して１４°または１８°などとされているものに比べて、より一層耐久性向上することができる。
【００１２】
また、ダイヤフラム押さえのダイヤフラムに当接している面の曲率半径は、１０．５〜１２．５ｍｍ（１０．５ｍｍ以上でかつ１２．５ｍｍ以下）とされていることが好ましい。
【００１３】
このようにすると、ダイヤフラム押さえ形状による効果が追加され、より一層耐久性向上することができる。
【００１４】
ダイヤフラム弁は、上下移動手段が開閉ハンドルなどの手動弁であってもよく、上下移動手段が適宜なアクチュエータとされた自動弁であってもよく、自動弁の場合のアクチュエータは、流体（空気）圧によるものでもよく、電磁力によるものでもよい。
【００１５】
なお、この明細書において、ステムの移動方向を上下方向というものとするが、この方向は、便宜的なものであり、実際の取付けでは、上下方向が鉛直方向とされるだけでなく、水平方向とされることもある。
【発明の効果】
【００１６】
この発明のダイヤフラム弁によると、ダイヤフラムの変形が最適化され、ダイヤフラムの耐久性が向上する。
【図面の簡単な説明】
【００１７】
【図１】図１は、この発明によるダイヤフラム弁の１実施形態を示す縦断面図で、流体通路が開の状態を示している。
【図２】図２は、図１の要部を拡大して示す拡大縦断面図を示している。
【発明を実施するための形態】
【００１８】
この発明の実施の形態を、以下図面を参照して説明する。以下の説明において、上下および左右は、図１の上下および左右をいうものとする。
【００１９】
図１は、この発明によるダイヤフラム弁の１実施形態を示しており、ダイヤフラム弁(1)は、流体流入通路(2a)、流体流出通路(2b)および上方に向かって開口した凹所(2c)を有しているブロック状ボディ(2)と、ボディ(2)の凹所(2c)上部に下端部がねじ合わされて上方にのびる円筒状ボンネット(3)と、流体流入通路(2a)の周縁に設けられた環状のシート(4)と、シート(4)に押圧または離間されて流体流入通路(2a)を開閉するダイヤフラム(5)と、ダイヤフラム(5)の中央部を押さえるダイヤフラム押さえ(6)と、ボンネット(3)内に上下移動自在に挿入されてダイヤフラム押さえ(6)を介してダイヤフラム(5)をシート(4)に押圧・離間させるステム(7)と、ボンネット(3)下端面とボディ(2)の凹所(2c)底面との間に配置されてダイヤフラム(5)の外周縁部をボディ(2)の凹所(2c)底面との間で保持する押さえアダプタ(8)と、頂壁(9a)を有しボンネット(3)にねじ合わされたケーシング(9)と、ステム(7)に一体化されたピストン(10)と、ピストン(10)を下方に付勢する圧縮コイルばね（付勢部材）(11)と、ピストン(10)下面に設けられた操作エア導入室(12)と、操作エア導入室(12)内に操作エアを導入する操作エア導入通路(13)とを備えている。
【００２０】
ダイヤフラム(5)は、球殻状とされており、図１および２に示す上に凸の円弧状が自然状態となっている。ダイヤフラム(5)は、例えば、ニッケル合金薄板からなるものとされ、円形に切り抜き、中央部を上方へ膨出させた球殻状に形成される。ダイヤフラム(5)は、ステンレス鋼薄板からなるものや、ステンレス鋼薄板とニッケル・コバルト合金薄板との積層体よりなるものとされることがある。
【００２１】
図２に拡大して示すように、押さえアダプタ(8)は、その下面(8a)全体が所定の傾斜角度とされたテーパ状とされている。また、ボディ(2)の凹所(2c)の底面(14)は、円形の平坦部(14a)と、平坦部(14a)の外周に連なり平坦部(14a)に対して凹まされている環状の凹部(14b)とを有している。
【００２２】
押さえアダプタ(8)は、ボンネット(3)がボディ(2)にねじ合わされることで、ダイヤフラム(5)の外周縁部に上面から当接した状態で固定される。この際、押さえアダプタ(8)の下面(8a)全体がテーパ状とされていることにより、ダイヤフラム(5)は、球殻状（上に凸の円弧状）からほとんど変形することなく、その外周縁部の上面が押さえアダプタ(8)のテーパ状下面(8a)と面接触（広い範囲で接触）した状態で、押さえアダプタ(8)とボディ(2)の凹所(2c)の底面(14)との間に保持される。また、ボディ(2)の凹所(2c)の底面(14)の外周縁部に凹部(14b)が設けられていることにより、ダイヤフラム(5)の外周縁部は、凹部(14b)内に収容される。したがって、ダイヤフラム(5)の外周縁部は、ボディ(2)の凹所(2c)の底面(14)に沿うような変形を受けることはなく、その下面が凹所(2c)の底面(14)の平坦部(14a)の外周(14c)と線接触する。
【００２３】
各部材の具体的な数値として、押さえアダプタ(8)の下面(8a)のテーパ角度θは、ボディ(2)の凹所(2c)の底面(14)の平坦部(14a)に対して１６°（１５．５〜１６．５°）とされている。また、ダイヤフラム押さえ(6)のダイヤフラム(5)に当接している面(6a)の曲率半径ＳＲは、１１ｍｍまたは１２ｍｍ（１０．５〜１２．５ｍｍ）とされている。
【００２４】
表１に、ダイヤフラム押さえ(6)の形状（ＳＲ）および押さえアダプタ(8)のテーパ角度（θ）を変更した場合のダイヤフラム(5)の耐久性テスト結果を示している。なお、ダイヤフラム(5)は、厚さｔが０．０５ｍｍのものを２枚積層したものとされ、ダイヤフラム(5)の高さｈ（ダイヤフラム(5)の外周縁から頂点までの高さ）は、０．７ｍｍとされている。
【表１】
2014009765.tif 000003
【００２５】
上記表１から、押さえアダプタ(8)の下面(8a)のテーパ角度θ：１６°（１５．５〜１６．５°）、ダイヤフラム押さえ(6)の曲率半径ＳＲ：１１ｍｍまたは１２ｍｍ（１０．５〜１２．５ｍｍ）とすることにより、耐久性の向上が得られることが分かる。
【００２６】
すなわち、ダイヤフラム(5)は、押さえアダプタ(8)の下面(8a)のテーパ角度θによって、自然状態からの変形量が変わるため、テーパ角度θがダイヤフラム(5)の耐久性に影響を及ぼす。したがって、テーパ角度θを最適化、具体的には、１５．５〜１６．５°とすることにより、ダイヤフラム(5)の耐久性を向上させることができる。また、ダイヤフラム押さえ(6)の曲率半径ＳＲによっても、ダイヤフラム(5)の自然状態からの変形量が変わる。そこで、曲率半径ＳＲを最適化、具体的には、１０．５〜１２．５ｍｍとすることにより、ダイヤフラム(5)の耐久性をより一層向上させることができる。
【００２７】
なお、上記において、ステム(7)、ピストン(10)、圧縮コイルばね（付勢部材）(11)、操作エア導入室(12)、操作エア導入通路(13)などは、ダイヤフラム押さえ(6)を上下移動させる上下移動手段を構成しているが、上下移動手段の構成は、図１に示したものに限定されるものではない。
【符号の説明】
【００２８】
(1)：ダイヤフラム弁、(2)：ボディ、(2a)：流体流入通路、(2b)：流体流出通路、(2c)：凹所、(5)：ダイヤフラム、(6)：ダイヤフラム押さえ、(7)：ステム、(8)：押さえアダプタ、(14)：底面、(14a)：平坦部、(14b)：凹部、(14c)：外周、
【図１】
2014009765.tif 000004
【図２】
2014009765.tif 000005